(57)【要約】【課題】軽量で簡便に着脱可能であって、装着させたリールが落下し難いリール装着部材を提供する。【解決手段】竿杆１０に設けた場合に、該竿杆の表面との間にリール脚の足先部を挿入可能にさせる柔軟性部材であるシート状フード１２Ａ，１２Ｂを前後に一対配設し、該一対のシート状フードを弾力性部材である帯状連結部材１４Ａ，１４Ｂによって互いに連結させ、竿杆に設けた場合の一方のシート状フード１２Ａの該竿杆の平面視による中心線ＣＬに対して互いに反対側に離隔した２箇所Ｅ１，Ｅ２に夫々帯状連結部材の各一端部を連結接続させ、該各帯状連結部材を互いに交差させつつ夫々の長手方向軸の回りに半捻りさせ、該半捻りした各帯状連結部材の各他端部を他方のシート状フード１２Ｂの前記中心線に対して互いに反対側に離隔した２箇所Ｅ１’．Ｅ２’に夫々連結接続させるよう構成する。【選択図】図２
2008154513.tif 000002
【特許請求の範囲】
【請求項１】
竿杆に設けた場合に、該竿杆の表面との間にリール脚の足先部を挿入可能にさせる柔軟性部材であるシート状フードを前後に一対配設し、該一対のシート状フードを弾力性部材である帯状連結部材によって互いに連結させ、竿杆に設けた場合の一方のシート状フードの該竿杆の平面視による中心線に対して互いに反対側に離隔した２箇所に夫々帯状連結部材の各一端部を連結接続させ、該各帯状連結部材を互いに交差させつつ夫々の長手方向軸の回りに半捻りさせ、該半捻りした各帯状連結部材の各他端部を他方のシート状フードの前記中心線に対して互いに反対側に離隔した２箇所に夫々連結接続させたことを特徴とするリール装着部材。
【請求項２】
竿杆に設けた場合に、該竿杆の表面との間にリール脚の足先部を挿入可能にさせる柔軟性部材であるシート状フードを前後に一対配設し、該一対のシート状フードを弾力性部材である連結部材によって互いに連結させて前記連結部材と各シート状フードとの間に竿杆を挿通させることができるようにしたことを特徴とするリール装着部材。
【請求項３】
竿杆に設けた場合に、該竿杆の表面との間にリール脚の足先部を挿入可能にさせるフードを前後に一対配設し、該一対のフードを弾力性部材である連結部材によって互いに連結させて前記連結部材と各フードとの間に竿杆を挿通させることができるようにしたことを特徴とするリール装着部材。
【請求項４】
竿杆を挿通させることができ、前後に一対配設された柔軟性部材である環状フードと、該一対の環状フードを弾力性部材である連結部材によって互いに連結させたことを特徴とするリール装着部材。
【発明の詳細な説明】
【技術分野】
【０００１】
本発明は、フライロッドやルアーロッド等に使用可能であって、竿杆に対して着脱可能なリール装着部材に関する。
【背景技術】
【０００２】
リールを装着する部材は種々存在し、筒状の本体部を設け、それを竿杆に套嵌させてその前後に固定フードと移動フードを設けた一般的なリール装着部材の他、竿杆の前後に一対の環状フードのみを個別に配設したリングシート（リング式リール装着部材）があり、軽量化に寄与している。その他、やや特殊なリール装着部材として、テープ状部材によってリール脚部を竿杆と共に巻回してリールを固定するリール装着部材が下記特許文献１に開示されている。
【特許文献１】実開昭５２−１０３１８９号公報
【発明の開示】
【発明が解決しようとする課題】
【０００３】
然しながら、上記リングシートでは、リールを装着させた後でも、釣り操作を行っている際に各環状フードが個別に前後方向に動き得るため、リールが緩んで落下することもあり得る。
依って解決しようとする課題は、軽量で簡便に着脱可能であって、装着させたリールが落下し難いリール装着部材の提供である。
【課題を解決するための手段】
【０００４】
第１の発明では、竿杆に設けた場合に、該竿杆の表面との間にリール脚の足先部を挿入可能にさせる柔軟性部材であるシート状フードを前後に一対配設し、該一対のシート状フードを弾力性部材である帯状連結部材によって互いに連結させ、竿杆に設けた場合の一方のシート状フードの該竿杆の平面視による中心線に対して互いに反対側に離隔した２箇所に夫々帯状連結部材の各一端部を連結接続させ、該各帯状連結部材を互いに交差させつつ夫々の長手方向軸の回りに半捻りさせ、該半捻りした各帯状連結部材の各他端部を他方のシート状フードの前記中心線に対して互いに反対側に離隔した２箇所に夫々連結接続させたことを特徴とするリール装着部材を提供する。
【０００５】
第２の発明では、竿杆に設けた場合に、該竿杆の表面との間にリール脚の足先部を挿入可能にさせる柔軟性部材であるシート状フードを前後に一対配設し、該一対のシート状フードを弾力性部材である連結部材によって互いに連結させて前記連結部材と各シート状フードとの間に竿杆を挿通させることができるようにしたことを特徴とするリール装着部材を提供する。
この第２の発明の連結部材は、第１の発明のように帯状のものを複数枚使用する形態や、１つ（単に厚さ方向に複数枚重ねている場合も、実質は１つと同じであるため、１つに含める）のシート状連結部材や、その他、紐状の連結部材等が含まれる。
【０００６】
第３の発明では、竿杆に設けた場合に、該竿杆の表面との間にリール脚の足先部を挿入可能にさせるフードを前後に一対配設し、該一対のフードを弾力性部材である連結部材によって互いに連結させて前記連結部材と各フードとの間に竿杆を挿通させることができるようにしたことを特徴とするリール装着部材を提供する。
この第３の発明では、他の発明のフードとは異なって、フードの形状が変形しないように固定的に（ハードに）形成されていて、竿杆の上に載置されることで、竿杆表面との間にリール脚の足先部を挿入可能な空間を確保できるものが含まれる。勿論、シート状フードのように柔軟なフードも含まれる。
【０００７】
第４の発明では、竿杆を挿通させることができ、前後に一対配設された柔軟性部材である環状フードと、該一対の環状フードを弾力性部材である連結部材によって互いに連結させたことを特徴とするリール装着部材を提供する。
【発明の効果】
【０００８】
第１の発明では、帯状連結部材をその長手方向軸回りに半捻りしている、即ち、螺旋状に半回（１８０度）捩っているため、竿杆をこの帯状連結部材の螺旋の中を通すことによって簡便に装着できる。また、取り外しも簡便である。また、リール装着部材は柔軟なシート状部材と弾力性部材とであるため、全体として軽量化できる。更には、弾力性部材の帯状連結部材の螺旋の中を通すということは、竿杆をシート状部材と弾力性部材との間に挟む装着形態となるため、種々のサイズの竿杆（直径）に装着が可能である。また、前後一対のシート状フードを、帯状連結部材で連結しているため、この帯状連結部材の弾力性に抗して各シート状フードと竿杆表面との間にリール脚の足先部を押し込むことができる。更には、連結部材の存在によって各シート状フードが自由に互いに離隔してリール脚が外れることを防止できる他、リールとしてスピニングリールを使用する場合、リールの装着部位を把持して釣り操作することが通常であるが、一対のシート状フード間に位置している連結部材はその把持手の領域に位置し、必然的にその連結部材を把持手で握ることになる。従って、把持手で連結部材の伸びを抑えることになり、その分、一対のシート状フードが互いに離隔し難く、リール脚が外れ難くなる他、リール装着部材が当初の位置に留まる。
【０００９】
第２の発明記載のリール装着部材は、弾力性部材である連結部材とシート状フードとの間に竿杆を挿通させることができるようにしているため、連結部材の弾力性を利用して竿杆の端から挿入して適宜位置に装着させたり、取り外すことが簡便にできる。また、リール装着部材は柔軟なシート状部材と弾力性部材とであるため、全体として軽量化できる。更には、竿杆をシート状部材と弾力性部材との間に挟む装着形態であるため、種々のサイズの竿杆（直径）に装着が可能である。また、前後一対のシート状フードを、連結部材で連結しているため、この連結部材の弾力性に抗して各シート状フードと竿杆表面との間にリール脚の足先部を押し込むことができる。更には、連結部材の存在によって各シート状フードが自由に互いに離隔してリール脚が外れることを防止できる他、リールとしてスピニングリールを使用する場合、リールの装着部位を把持して釣り操作することが通常であるが、一対のシート状フード間に位置している連結部材はその把持手の領域に位置し、必然的にその連結部材を把持手で握ることになる。従って、把持手で連結部材の伸びを抑えることになり、その分、一対のシート状フードが互いに離隔し難く、リール脚が外れ難くなる他、リール装着部材が当初の位置に留まる。
【００１０】
第３の発明記載のリール装着部材は、弾力性部材である連結部材とフードとの間に竿杆を挿通させることができるようにしているため、連結部材の弾力性を利用して竿杆の端から挿入して適宜位置に装着させたり、取り外すことが簡便にできる。また、リール装着部材はフードと弾力性部材とであるため、全体として軽量化できる。更には、竿杆をフードと弾力性部材との間に挟む装着形態であるため、種々のサイズの竿杆（直径）に装着が可能である。また、連結部材の存在によって各フードが自由に互いに離隔してリール脚が外れることを防止できる他、リールとしてスピニングリールを使用する場合、リールの装着部位を把持して釣り操作することが通常であるが、一対のフード間に位置している連結部材はその把持手の領域に位置し、必然的にその連結部材を把持手で握ることになる。従って、把持手で連結部材の伸びを抑えることになり、その分、一対のフードが互いに離隔し難く、リール脚が外れ難くなる他、リール装着部材が当初の位置に留まる。
【００１１】
第４の発明では、竿杆を柔軟性部材である環状フードに挿入させて装着させるため、容易、簡便に着脱が可能である。また、リール装着部材は柔軟な環状フードと弾力性部材とであるため、全体として軽量化できる。但し、環状フードの内面と竿杆表面との間にリール脚の足先部を挿入する構造形態のため、第１〜第３の発明よりは、適用可能な竿杆直径サイズの範囲は小さくなる。また、連結部材の存在によって各環状フードが自由に互いに離隔してリール脚が外れることを防止できる他、リールとしてスピニングリールを使用する場合、リールの装着部位を把持して釣り操作することが通常であるが、一対の環状フード間に位置している連結部材はその把持手の領域に位置し、必然的にその連結部材を把持手で握ることになる。従って、把持手で連結部材の伸びを抑えることになり、その分、一対の環状フードが互いに離隔し難く、リール脚が外れ難くなる他、リール装着部材が当初の位置に留まる。
【発明を実施するための最良の形態】
【００１２】
以下、本発明につき図面を用いて詳細に説明する。図１は本発明に係るリール装着部材２０を竿杆１０に装着させてスピニングリールを装着保持させ、そのリール装着領域を把持した状態の要部側面図である。このリール装着部材２０は、前後に配設されていると共に、曲げが自在な柔軟性部材である一対のシート状フード１２Ａ，１２Ｂと、これらを互いに連結させていると共に、ゴム部材等の弾力性部材からなる２枚の帯状の連結部材１４Ａ，１４Ｂとを有している。
【００１３】
ここではシート状フードは使用状態における平面視形状が馬蹄形状又はＣ字形状を成しており、以下の別形態例のリール装着部材の場合も同様な形状である。その具体的な部材としては、柔軟であると共に丈夫であることが求められ、例えば革が好ましいが、連結部材に比べて伸縮性の少ない合成ゴムや合成樹脂でもよい。シート状フードと連結部材との連結接続は、例えば縫製によることが可能であり、また、接着剤を使用してもよい。更には、超音波を使用した溶着でもよい。
【００１４】
図２は、図１のリール装着部材を図１の上方から見た平面視である上面図であり、竿杆１０を２点鎖線で図示している。一方の帯状連結部材１４Ａは、その長手方向を軸として半回転（１８０度）螺旋状に捩られている。一方のＣ字形シート状フード１２Ａの一端部Ｅ１に対して、捩られた帯状連結部材１４Ａの一端部が平面的に連結接続されており、該帯状連結部材１４Ａの他端部は、図２に示すとおり、他方のＣ字形シート状フード１２Ｂの一端部であって前記一端部Ｅ１とは竿杆１０の中心線ＣＬに対して反対側の端部Ｅ２’に平面的に連結接続されている。
【００１５】
他方の帯状連結部材１４Ｂも、その長手方向を軸として半回転螺旋状に捩られている。この捩られた帯状連結部材１４Ｂの一端部が前記一方のＣ字形シート状フード１２Ａの他端部Ｅ２に対して平面的に連結接続されており、帯状連結部材１４Ｂの他端部は、図２に示すとおり、前記他方のＣ字形シート状フード１２Ｂの端部であって、前記他端部Ｅ２とは竿杆１０の中心線ＣＬに対して反対側に位置する端部Ｅ１’に平面的に連結接続されている。従って、２つの帯状連結部材１４Ａ，１４ＢはＸ字状に交差している。
更には、連結部材は、２枚の帯状連結部材が上下に交差する形態ではなくて１枚のＸ字状のシート状部材で構成しても同様な作用効果を生じる。
【００１６】
上記リール装着部材２０の各シート状フードと帯状連結部材との上下間に竿杆１０を挟持するように竿杆１０を挿入してリール装着部材２０を取り外し可能に装着できる。即ち、各シート状フードと帯状連結部材とで前後端が開口となった筒袋を形成しているといえる。
【００１７】
リール装着部材２０は、製作時には、平面視を図３の（ａ）に示し、側面視を（ｂ１）又は（ｂ２）に示す形態に構成してもよい。即ち、２枚の帯状連結部材１４Ａ，１４Ｂを互いにＸ字状に交差するように配設して、各シート状フードを円錐の一部を成すように立体的に曲げつつ平面視において８の字状に見えるように、扇状の各シート状フード１２Ａ，１２Ｂの各端部と夫々連結させる。側面視が（ｂ１）の場合であれば、図の左側のシート状フード１２Ａを図の矢印方向に捩って（ｂ２）のように変形させる。即ち、（ｂ１）では、シート状フード１２Ａも１２Ｂも図の下方ほど径が大きくなる円錐形状であるが、シート状フード１２Ａの方を、図の上方ほど径が大きくなるように逆転させるのである。最初から側面視が（ｂ２）のようになっている場合はそのままでよい。
【００１８】
次に、（ｂ２）の状態の各帯状連結部材１４Ａ，１４Ｂを、夫々、（ｃ）の矢印の方向に捩って反転させると（ｄ）の状態になる。この後、図の右側のシート状フード１２Ｂを（ｄ）の矢印の方向に捩って反転させると（ｅ）の状態になる。即ち、シート状フード１２Ｂの成す円錐形状は、（ｄ）に至るまでは、（ｂ１）や（ｂ２）に示すように側面視においては下方ほど径が大きかったが、（ｄ）から（ｅ）への捩り作業によって上方ほど径が大きい円錐状になる。この（ｅ）の状態のリール装着部材は図２のものと同じである。なお、図３の各図に示している黒点は、各部材の裏面、即ち、竿杆１０を挿通させた場合に竿杆表面に対面する面を示しており、黒点の無い面は表面を示している。捩りによる反転状態を判別し易くするために便宜上図示したものである。
【００１９】
図２の（帯状）連結部材が伸び縮みの発生していない通常時における一対のシート状フードの離隔距離を、取り付け対象とするリール脚ＲＬの各足ＲＬＦの離隔距離よりも短く設定しておけば、リール装着部材２０を竿杆１０に装着させた後、（帯状）連結部材１４Ａ，１４Ｂの伸びを利用しながら各シート状フード１２Ａ，１２Ｂと竿杆１０の表面との間にスピニングリール脚ＲＬの各足ＲＬＦの先部を挿入できるのみならず、挿入後は（帯状）連結部材の収縮力によって各シート状フードを引き寄せてスピニングリール脚を強く保持できる。更に重要なことは、図１に図示するように、釣人の手でリール装着領域を把持すると、指や掌によって（帯状）連結部材を握ることになり、（帯状）連結部材の伸びを抑えることができる。従って、釣り操作においてスピニングリール脚がこじられても一対のシート状フード間距離の増大を防止してリールの外れを防止できる他、リール装着部材２０の装着位置が維持される。
【００２０】
スピニングリール使用時に、掌の下側に連結部材を握ることになるため、連結部材が紐状の場合よりも帯状の場合の方が違和感が少なくて把持感がよい。また、帯状の場合でも、厚さの薄い方が違和感が少なくて把持感が良い。また、図１に図示されているように、把持した手の指が前後のシート状フード１２Ａ，１２Ｂの外側表面に当接することが多い。従って、それらの外側表面に微小凹凸を設け、把持した手の指の滑り防止としてもよい。
【００２１】
本願のリール装着部材２０は両軸受型リールも装着可能であるが、上記作用効果をより効果あらしめるためにはスピニングリールを使用した場合の方が良い。
また、２枚の帯状連結部材に代えて、２本の紐状の連結部材を使用してもよく、また、その数は２枚又は２本に限らない。例えば、各帯状連結部材を夫々図示の半分の幅の帯状連結部材に分割すれば、合計４枚の帯状連結部材を使用することになる。
以上の他、図４には本発明に係る第２発明の１形態例を示す。即ち、１枚のシート状の連結部材１４ＡＢを使用して、前後端部を開口にした筒袋を形成するように、各シート状フード１２Ａ，１２Ｂに連結させる。これによってシート状フード１２Ａ，１２Ｂとシート状連結部材１４ＡＢとによって形成される筒袋に竿杆を挿通させることができる。
【００２２】
図５は本発明に係る第４発明の形態例を斜視図で図示している。前後一対の環状フード２２Ａ，２２Ｂは第１や第２の発明と同様に革等の柔軟性部材からなり、竿杆を挿通できる。これらの環状フードを、第１発明等と同様なゴム等の弾力性部材の連結部材２４Ａ，２４Ｂ，２４Ｃによって連結している。この発明においても、通常時における一対の環状フードの離隔距離を、取り付け対象とするリール脚ＲＬの各足ＲＬＦの離隔距離よりも短く設定しておけば、リール装着部材３０を竿杆に装着させた後、連結部材２４Ａ，２４Ｂ，２４Ｃの伸びを利用しながら各環状フードと竿杆表面との間にスピニングリール脚ＲＬの各足ＲＬＦの先部を挿入できるのみならず、連結部材の収縮力によって各環状フードを引き寄せてスピニングリール脚を強く保持できる。更に重要なことは、釣りの際に釣人の手でリール装着領域を把持すると、指や掌によって連結部材を握ることになり、連結部材の伸びを抑えることができる。従って、釣り操作においてスピニングリール脚がこじられても一対の環状フード間距離の増大を防止してリールの外れを防止できる他、リール装着部材３０の装着位置が維持される。
【００２３】
以上の他、図１に示す前後のフード１２Ａ，１２Ｂを柔軟なシート状ではなく、金属や合成樹脂等で形成し、その形態が変形しないハードな部材である場合のリール装着部材２０も本願の第４の発明に含まれている。
【産業上の利用可能性】
【００２４】
本発明はフライロッドやルアーロッド等に使用可能なリール装着部材として利用できる。
【図面の簡単な説明】
【００２５】
【図１】図１は本発明に係るリール装着部材を竿杆に装着させてスピニングリールを装着保持させ、そのリール装着領域を把持した状態の要部側面図である。
【図２】図２は第１発明に係るリール装着部材の上方から見た平面図である。
【図３】図３は図２のリール装着部材の他の作り方説明図である。
【図４】図４は第２発明に係る１形態例のリール装着部材を上方から見た平面図である。
【図５】図５は第４発明に係るリール装着部材の斜視図である。
【符号の説明】
【００２６】
１２Ａ，１２Ｂ                      シート状フード
１４Ａ，１４Ｂ                      帯状連結部材
１４ＡＢ                            シート状連結部材
２０                                第１発明のリール装着部材
２２Ａ，２２Ｂ                      環状フード
２４Ａ，２４Ｂ，２４Ｃ              連結部材
３０                                第５発明のリール装着部材
【図１】
2008154513.tif 000003
【図２】
2008154513.tif 000004
【図３】
2008154513.tif 000005
【図４】
2008154513.tif 000006
【図５】
2008154513.tif 000007